(57)【特許請求の範囲】
【請求項１】
管を接続する接続具を固定するために形成された固定孔に、該固定孔の内径より小径の接続具を固定するために使用されるリングレジューサであって、
中央に前記小径の接続具に対応する径の円孔を有する板状に形成されたレジューサ本体を備え、
前記レジューサ本体は、前記円孔の周辺に、前記固定孔に対して前記円孔の位置決めをするために該固定孔内に挿入されて該固定孔の内面に係合する位置決め突起を備え、
前記位置決め突起は、前記レジューサ本体の平面と面一状態となるように弾性変形可能に形成されてなることを特徴とするリングレジューサ。
【請求項２】
前記位置決め突起は、前記レジューサ本体の外縁側を基端部とし径方向内部側に向けて突出するとともに該基端部を起点に前記固定孔側に向けて傾斜する弾性片で形成され、前記固定孔と反対方向に弾性変形可能であることを特徴とする請求項１に記載のリングレジューサ。
【請求項３】
前記位置決め突起は、周方向に等間隔で３箇所以上設けられたことを特徴とする請求項１または請求項２に記載のリングレジューサ。
【請求項４】
前記位置決め突起の先端に、前記小径の接続具に係合させて仮固定するための小突起を備えたことを特徴とする請求項１乃至請求項３のいずれかに記載のリングレジューサ。
【発明の詳細な説明】
【技術分野】
【０００１】
本発明は、管を接続するコネクタ等の接続具を固定するために形成された配線ボックスのノックアウト等の固定孔に、該固定孔の内径より小径の接続具を固定するために使用されるリングレジューサに関するものである。
【背景技術】
【０００２】
従来より、配線ボックス等に形成されたノックアウト等の固定孔に該固定孔の内径より小径の接続具を固定するために、図７に示すリングレジューサ６１が使用されている。図７において、配線ボックス３１のノックアウトで形成された固定孔３２に図５に示す電線管等の管５１を接続するためのコネクタ等の接続具４１は、接続具４１の雄ねじ部４２を配線ボックス３１の固定孔３２に挿入した後、壁面３３の反対側からナット４３を締め付けて固定孔３２に固定されている。
【０００３】
ここで、接続具４１の雄ねじ部４２は固定孔３２とはサイズが異なり、雄ねじ部４２の外径は固定孔３２の内径よりサイズが異なる分だけ小さくなっているため、両者間の接続を可能ならしめるリングレジューサ６１が使用されている。リングレジューサ６１は、金属板材や合成樹脂材で形成され、図７(a)に示すように、レジューサ本体６２の中央に前記小径の接続具４１に対応する径の円孔６３を有する板状に形成されているとともに、レジューサ本体６２の円孔６３の周縁周辺には、固定孔６３内に挿入されてその内面に係合する位置決め突起６４を同一半径上に複数、図７においては３個備えており、図７(b)に示すように、位置決め突起６４が固定孔３２に係合し、固定孔３２に対して円孔６３が同心に配置されるよう位置決めしている。位置決め突起６４は、金属板材のプレス加工や樹脂成形により楕円球面状に膨出形成され、変形しにくい所定の剛性を有している。なお、この種のリングレジューサとしては、例えば、特許文献１に記載のリングレジューサが開示されている。
【先行技術文献】
【特許文献】
【０００４】
【特許文献１】実開昭５６−１５２５１２号公報
【発明の概要】
【発明が解決しようとする課題】
【０００５】
しかし、従来のリングレジューサ６１は、配線ボックス３１の固定孔３２の寸法公差やノックアウト形成時の孔径のばらつき等によりその孔径が、同一半径上に形成された複数の位置決め突起６４の各外周側先端部を結ぶ円より小さいことがあり、その場合には、図７(c)に示すように、位置決め突起６４全体が固定孔３２内には収まらず、一部は配線ボックス３１の壁面３３に乗り上げて壁面３３から浮いた状態となる。ここで、位置決め突起６４は楕円球面状等に形成され、また、所定の剛性を有している。このため、乗り上げた位置決め突起６４は配線ボックス３１の固定孔３２の周縁角部３２ｂとは点接触状態にあり、また、変形しにくいので、ナット４３を締め付ける際に、リングレジューサ６１は固定孔３２に対して壁面３３と平行する方向に滑って位置ずれし易く、固定孔３２に対して同心位置に位置決めできないことがあった。また、レジューサ本体６２と壁面３３との間に隙間Ｓを生ずるため、配線ボックス３１がコンクリート埋設されるものである場合には、コンクリート打設時にトロがその隙間Ｓから固定孔３２を通して配線ボックス３１内に侵入することがあった。
【０００６】
そこで、本発明は、固定孔の寸法公差等により固定孔の孔径が各位置決め突起の外周側先端部を結ぶ円より小さい場合でも一部が固定孔の周壁に乗り上げて浮いてしまうのを防止し、自身を固定孔に対して同心位置に位置決めできるリングレジューサの提供を課題とするものである。
【課題を解決するための手段】
【０００７】
請求項１のリングレジューサは、管を接続する接続具を固定するために形成された固定孔に、該固定孔の内径より小径の接続具を固定するために使用されるものであって、中央に前記小径の接続具に対応する径の円孔を有する板状に形成されたレジューサ本体を備えている。そして、前記レジューサ本体は、前記円孔の周辺に、前記固定孔に対して前記円孔の位置決めをするために該固定孔内に挿入されて該固定孔の内面に係合する位置決め突起を備え、前記位置決め突起は、前記レジューサ本体の平面と面一状態となるように弾性変形可能に形成されている。
【０００８】
請求項２のリングレジューサは、位置決め突起が、レジューサ本体の外縁側を基端部として径方向内部側に向けて突出するとともに該基端部を起点に固定孔側に向けて傾斜する弾性片で形成され、固定孔と反対方向に弾性変形可能である。
請求項３のリングレジューサは、位置決め突起が、周方向に等間隔で３箇所以上設けられている。
請求項４のリングレジューサは、位置決め突起の先端に、小径の接続具に係合させて仮固定するための小突起を備えている。
【発明の効果】
【０００９】
請求項１の発明は、固定孔に対して自身の円孔の位置決めをするためのリングレジューサの位置決め突起が、弾性変形可能に形成されているから、固定孔の寸法公差やノックアウト形成時の孔径のばらつき等によりその孔径が、同一半径上に形成された複数の各位置決め突起の基端部を結ぶ円の径より小さい場合に、位置決め突起を固定孔に挿入しその内面に係合させて固定する際に、位置決め突起の全体が固定孔内に収まらず、一部が固定孔の周壁まではみ出して乗り上げたとしても、位置決め突起は、接続具のナットの締め付けに伴って固定孔と反対方向に弾性変形し、最終的に壁面と面接触してレジューサ本体が壁面から浮くことがない。また、位置決め突起は弾性変形するので、ナットの締め付け時に、リングレジューサが壁面と平行する方向に位置ずれしにくく、固定孔に対して同心位置に配置、固定される。更に、レジューサ本体と壁面との間に隙間を生じないので、コンクリート埋設されるものにおいてコンクリート打設時にトロが隙間を通して固定孔内に侵入することがない。
【００１０】
請求項２の発明は、位置決め突起が、レジューサ本体の外縁側を基端部として径方向内部側に向けて突出するとともに固定孔側に向けて傾斜する弾性片で形成され、固定孔と反対方向に弾性変形可能であるから、位置決め突起を固定孔に挿入してその内面に係合させる際やその後にナットを締め付ける際に、位置決め突起は、固定孔に対して自ずと同心位置に収まり易い。したがって、ナットの締め付け後、リングレジューサは固定孔に対して位置ずれせず、同心位置に固定される。
【００１１】
請求項３の発明は、位置決め突起が、周方向に等間隔で３箇所以上に設けられているから、請求項２による作用と相俟って、位置決め突起を固定孔に挿入してその内面に係合させる際やその後にナットを締め付ける際に、位置決め突起は、固定孔に対して一層同心位置に収まり易い。
【００１２】
請求項４の発明は、位置決め突起の先端に小突起を備えているので、固定作業時に、小径の接続具の端部を固定孔に挿入しこれにリングレジューサを嵌着した後、リングレジューサの小突起は前記接続具の端部のねじ部に係合して仮固定され保持される。これにより、小径の接続具の端部を固定孔に上方から挿入し、この端部にリングレジューサを下方から嵌着した場合に、リングレジューサは接続具の端部に係合してこれに保持され、接続具の端部から落下するのが防止されるので、手で接続具を保持してナットを締め付ける間、リングレジューサを手で保持している必要がなく、したがって、接続具取着時における作業性が向上する。
【図面の簡単な説明】
【００１３】
【図１】本発明の実施形態のリングレジューサを示し、(a)は表側から見た斜視図、(b)は裏側から見た斜視図である。
【図２】図１のリングレジューサを示し、(a)は正面図、(b)は(a)のＡ−Ａ切断線による断面図、(c)は(b)のＢ部拡大断面図である。
【図３】固定孔の内径が位置決め突起の各基端部を結ぶ円と同一または少し大きい場合での、接続具のナットの締め付け直前における固定孔に対するリングレジューサの配置状態を示し、(a)は正面図、(b)は断面図である。
【図４】固定孔の内径が位置決め突起の各基端部を結ぶ円より少し小さい場合での、接続具のナットの締め付け直前における固定孔に対するリングレジューサの配置状態を示し、(a)は正面図、(b)は断面図である。
【図５】接続具のナットの締め付け後における固定孔への接続具の固定状態を示す断面図である。
【図６】接続具のナットの締め付け直前におけるリングレジューサの小突起による仮固定状態を示す断面図である。
【図７】従来のリングレジューサを示し、(a)は斜視図、(b)、(c)は、接続具のナットの締め付け直前における固定孔に対するリングレジューサの配置状態を示し、うち(b)は、固定孔の径が位置決め突起の各外周側先端部を結ぶ円と同一または少し大きい場合での配置状態、(c)は、固定孔の径が前記円より小さい場合での配置状態を示す。
【発明を実施するための形態】
【００１４】
以下、本発明の実施形態を図に基づいて説明する。
図１及び図２において、リングレジューサ１は、電線管等の管５１を接続する接続具４１を、図４及び図５に示す配線ボックス３１に固定するために形成されたノックアウトからなる固定孔３２に、該固定孔３２の内径より小径の接続具４１を固定するときに使用されるものである。配線ボックス３１のノックアウトの孔径は各種サイズの規格があり、小径の接続具４１は、この孔径に対して雄ねじ部４２が１サイズ乃至それ以上に小さいサイズの外径となっている。リングレジューサ１は、配線ボックス３１の固定孔３２の両側に互いに向かい合わせにして２個一組で取付けられる。
【００１５】
前記リングレジューサ１は、中央に小径の接続具４１に対応する径の円孔１２を有する板状に形成されたレジューサ本体１１を備えており、塩化ビニル等の合成樹脂により一体に形成されている。ここで、小径の接続具４１に対応する径とは、接続具４１の雄ねじ部４２の外径と略同一径、即ち同一若しくは僅かに大きい径を意味する。
【００１６】
レジューサ本体１１は、中央の円孔１２の周辺に、配線ボックス３１の固定孔３２に対して円孔１２の位置決めをするために固定孔３２内に挿入されて固定孔３２の内面に係合する位置決め突起２１を複数、本実施形態では３個備えている。
【００１７】
位置決め突起２１は、円孔１２の周縁の一部をコ字状に切欠した空間内に設けられている。位置決め突起２１は、レジューサ本体１１の外縁側を基端部２２として径方向内部側に向けて突出する、即ち、レジューサ本体１１の環状板部における半径方向略中間部を基端部２２として円孔１２に向けて突出するとともに、基端部２２を起点として固定孔３２に向けて直線的に傾斜する矩形平板状の弾性片で形成されている。そして、位置決め突起２１は、基端部２２を起点として固定孔３２と反対方向即ち固定孔３２から離間する方向に弾性変形可能となっている。
また、位置決め突起２１は、円孔１２の周辺において周方向に位相１２０度の等間隔で３箇所設けられている。
【００１８】
更に、位置決め突起２１は、先端に、小径の接続具４１の雄ねじ部４２に係合させてリングレジューサ１を仮固定するための小突起２４が形成されている。小突起２４は接続具４１の雄ねじ部４２のねじピッチより僅かに小さい大きさに形成されている。そして、小突起２４は、その外面側である固定孔３２と対向する側の面に小さいアールが形成されている。アールを形成したのは、小突起２４が接続具４１の雄ねじ部４２内に入り込み易くするためである。
【００１９】
ここで、位置決め突起２１の突出方向の長さ及びその先端の小突起２４の大きさについて説明する。
位置決め突起２１の突出方向の長さは、傾斜面２３が弾性変形により倒れてレジューサ本体１１の平面と面一になった状態で、先端がレジューサ本体１１の円孔１２のほぼ内周円上に位置する大きさ、言い換えれば、３箇所の位置決め突起２１の先端を結ぶ円の径が、円孔１２と略同一となる大きさに設定されている。円孔１２の孔径は接続具４１の雄ねじ部４２の外径と略同一であり、位置決め突起２１の先端の突出量が大きいと、傾斜面２３が弾性変形してレジューサ本体１１の平面と面一状態となる前に先端が接続具４１の雄ねじ部４２と干渉してしまい、リングレジューサ１を雄ねじ部４２に外挿した後にナット４３を締付けることができなくなるからである。但し、位置決め突起２１の先端が雄ねじ部４２の谷部内に僅かに入り込んでナット４３を支障なく締付けることができれば、位置決め突起２１の先端は円孔１２の内周円より多少内部側にまで突出していてもよい。
【００２０】
一方、位置決め突起２１の先端の小突起２４は、リングレジューサ１を接続具４１の雄ねじ部４２に外挿した状態で雄ねじ部４２の谷部内に少し入り込んで係合する大きさであり、かつ、位置決め突起２１の傾斜面２３を弾性変形させることなく雄ねじ部４２に外挿し得る大きさに設定されている。後者の点について説明を加えると、位置決め突起２１の傾斜面２３は、接続具４１の雄ねじ部４２に対する第２のリングレジューサ１ｂの外挿方向と同方向に傾斜している。このため、小突起２４が大き過ぎると、雄ねじ部４２との干渉により、外挿時に位置決め突起２１の傾斜面２３が弾性変形し、位置決め突起２１の先端が伸びて雄ねじ部４２の谷部内に深く入り込んで、第２のリングレジューサ１ｂを雄ねじ部４２に外挿するのが困難若しくは不能となってしまう。そこで、小突起２４は、一つには、位置決め突起２１の傾斜面２３を弾性変形させることなく雄ねじ部４２に外挿し得る大きさに設定したのである。
【００２１】
次に、このように形成された本実施形態のリングレジューサ１を使用して管５１が接続された小径の接続具４１を配線ボックス３１の固定孔３２に固定する操作について説明する。
まず、第１のリングレジューサ１ａを、その位置決め突起２１が固定孔３２に対向する向きにして接続具４１の雄ねじ部４２に外挿する。次いで、雄ねじ部４２を固定孔３２に挿入した後、配線ボックス３１の内部側に突出した雄ねじ部４２に対して、第２のリングレジューサ１ｂを外挿する。なお、第１のリングレジューサ１ａと第２のリングレジューサ１ｂとは同一のリングレジューサ１が使用され、固定時に向きを変えて使用される。
【００２２】
ここで、リングレジューサ１を雄ねじ部４２に外挿した段階において、通常は、図３において二点鎖線で示した固定孔３２の内径は、３個の位置決め突起２１の外周側先端部である基端部２２を結ぶ一点鎖線で示した円２５と同一または僅かに大きくなっており、その場合においては、図３に示すように、固定孔３２の周壁３２ａは位置決め突起２１の基端部２２より僅かに外周側においてレジューサ本体１１の面と当接するので、リングレジューサ１と固定孔３２の周壁３２ａとの間に隙間Ｓは生じない。なお、この場合の位置決め突起２１は固定孔３２の周壁３２ａとは当接しないので、弾性変形することなく斜め方向に傾斜して突出する姿勢に変化はない。
【００２３】
一方、リングレジューサ１を接続具４１の雄ねじ部４２に外挿した段階において、固定孔３２の寸法公差やノックアウト形成時の孔径のばらつき等により固定孔３２の内径が、３個の位置決め突起２１の基端部２２を結ぶ円２５より少し小さい場合には、図４に示すように、固定孔３２の周縁角部３２ｂが位置決め突起２１の外側の傾斜面２３と当接し、ナット４３の締付け前においては、壁面３３から少し浮いた状態となり、レジューサ本体１１と配線ボックス３１の壁面３３との間には隙間Ｓが生じる。
【００２４】
しかし、この場合、位置決め突起２１は、周方向に等間隔で３箇所に設けられ、かつ、レジューサ本体１１上の基端部２２を起点として固定孔３２に向けて傾斜する弾性片で形成されているので、後述するリングレジューサ１の作用により、固定孔３２との同心位置から多少ずれていても、ナット４３を締め付けるに従って中心位置に移動してここに収まり易い。そこで、第２のリングレジューサ１ｂを接続具４１の雄ねじ部４２に外挿した後、リングレジューサ１が位置決め突起２１の傾斜面２３で少し浮いた状態のままナット４３を締め付けていけば、リングレジューサ１は、自ずと固定孔３２と同心位置に位置決め固定される。また、位置決め突起２１は、固定孔３２と反対方向、即ち図４(b)の矢印で示す方向に弾性変形して、図５に示すように、レジューサ本体１１の面と面一状態となる。これにより、ナット４３を締付けた後には、レジューサ本体１１と配線ボックス３１の壁面３３との間の隙間Ｓはなくなる。
以上により、配線ボックス３１の固定孔３２に対する小径の接続具４１の固定が完了する。
【００２５】
ここで、前記接続具４１の固定において、位置決め突起２１の先端には小突起２４が設けられているので、前述した、第２のリングレジューサ１ｂを接続具４１の雄ねじ部４２に外挿したときに、小突起２４は接続具４１の雄ねじ部４２に係合して第２のリングレジューサ１ｂは雄ねじ部４２に仮保持される。このため、図６に示すように、接続具４１の雄ねじ部４２を配線ボックス３１の固定孔３２に上方から挿入し、その雄ねじ部４２に第２のリングレジューサ１ｂを下方から外挿する場合に、小突起２４が接続具４１の雄ねじ部４２に係合してこれに保持され、第２のリングレジューサ１ｂは雄ねじ部４２から落下するのが防止されるので、手で接続具４１を保持してナット４３を締め付ける間、第２のリングレジューサ１ｂを手で保持している必要がなく、したがって、接続具取着時における作業性が向上する。
【００２６】
次に、本実施形態のリングレジューサ１の作用を説明する。
通常は、固定孔３２の径は、３個の位置決め突起２１の各基端部を結ぶ円２５と同一または僅かに大きいので、固定孔３２は位置決め突起２１の基端部２２より僅かに外周側に位置する。このため、リングレジューサ１は固定孔３２に対して同心に配置され、それに伴い、接続具４１の雄ねじ部４２も固定孔３２に同心位置に固定される。
【００２７】
一方、固定孔３２の径が、３個の位置決め突起２１の各基端部を結ぶ円２５より小さい場合は、前述のように、位置決め突起２１を固定孔３２に挿入しその内面に係合させて固定する際、位置決め突起２１は、全体が固定孔３２内には収まらず、一部は固定孔３２の周壁３２ａまではみ出し周縁角部３２ｂで乗り上げてしまう。しかし、本実施形態のリングレジューサ１は、位置決め突起２１が弾性変形可能に形成されているから、位置決め突起２１は、接続具４１のナット４３の締め付けに伴って固定孔３２と反対方向に弾性変形し、最終的にレジューサ本体１１と壁面３３との間には隙間Ｓを生じない。また、位置決め突起２１はナット４３の締め付けに伴ってそのまま弾性変形してレジューサ本体１１と面一状態となるから、リングレジューサ１は壁面３３と平行方向にずれることなく固定孔３２に対して同心位置に位置決めされ固定される。更に、レジューサ本体１１と壁面３３との間に隙間Ｓを生じないので、コンクリート埋設されるものにおいてコンクリート打設時にトロが隙間Ｓを通して固定孔３２内に侵入するのが防止される。
【００２８】
そして、位置決め突起２１は、基端部２２を起点に固定孔３２側に向けて傾斜する弾性片で形成され、固定孔３２の周縁角部３２ｂは、位置決め突起２１の傾斜面２３と当接するので、ナット４３の締め付け前においてリングレジューサ１が固定孔３２との同心位置から多少ずれていても、ナット４３を締め付けるに従って、固定孔３２の周縁角部３２ｂと位置決め突起２１の傾斜面２３との当接位置は自然と傾斜面２３上を滑るようにして移動し、リングレジューサ１は固定孔３２に対してその中央側に滑り込むように移動して固定孔３２との同心位置に収まり易い。したがって、ナット４３を締め付けた後は、リングレジューサ１は固定孔３２に対して同心位置に位置決めされ固定される。
【００２９】
加えて、位置決め突起２１は、周方向に等間隔で３箇所に設けられ、均等に配置されているから、固定孔３２の周縁角部３２ｂと各位置決め突起２１の傾斜面２３とはバランス良く当接する。これにより、位置決め突起２１の前述した弾性変形及び傾斜面の作用と相俟って、位置決め突起２１は、固定孔３２に対して一層同心位置に収まり易い。
【００３０】
ところで、上記実施形態の位置決め突起２１は、矩形平板状の弾性片で形成されているが、この形状に限定されるものではなく、例えば、基端部２２から円孔１２に向かうに従って先細りとなる三角板形状、楔板形状や、先端部がＵ字形状のもの等に形成してもよい。或いは、位置決め突起２１は全体的にレジューサ本体１１の表裏いずれかの側に凸となる湾曲面で形成された弾性片としてもよい。
【００３１】
また、上記実施形態の位置決め突起２１は、円孔１２の周辺において周方向に等間隔で３箇所に設けられているが、周方向に等間隔で４箇所以上に設けてもよい。また、必ずしも、等間隔で設けなければならないものでもない。
【００３２】
更に、位置決め突起２１は、先端に小突起２４が設けられているが、小突起２４を接続具４１の雄ねじ部４２に外挿する際には雄ねじ部４２の凹凸のある外周面により抵抗を受けるので、その抵抗が著しく大きく作業性に影響を及ぼす場合は、全ての位置決め突起２１において或いは一部の位置決め突起２１において小突起２４を設けないものとしてもよい。              
【００３３】
そして、リングレジューサ１は、接続具の取着作業時に、配線ボックス３１の固定孔３２に接続具４１の雄ねじ部４２を上方から挿入し、下方からリングレジューサ１を雄ねじ部４２に嵌着した後、位置決め突起２１の小突起２４が雄ねじ部４２に係合してこれに仮固定され保持されるようになっているが、配線ボックス３１の固定孔３２に下方から接続具４１の雄ねじ部４２を挿入し、上方から雄ねじ部４２にリングレジューサ１を嵌着した場合に、小突起２４が雄ねじ部４２に係合することによって、接続具４１を手で保持しなくてもその落下を防止することも可能である。
【００３４】
加えて、リングレジューサ１は、合成樹脂により形成されているが、ばね性を有する金属板材等で形成してもよい。
【００３５】
なお、上記実施形態のリングレジューサ１は、管５１の接続具４１を配線ボックス３１のノックアウトからなる固定孔３２に接続固定するときに使用しているが、他の電設機器に設けられた固定孔に接続固定するときにも同様に適用される。
【符号の説明】
【００３６】
１、１ａ、１ｂ  リングレジューサ      ２４    小突起
１１    レジューサ本体                  ３２    固定孔
１２    円孔                            ４１    接続具
２１    位置決め突起                    ５１    管    
２２    基端部
【図１】
0005781966.tif 000002
【図２】
0005781966.tif 000003
【図３】
0005781966.tif 000004
【図４】
0005781966.tif 000005
【図５】
0005781966.tif 000006
【図６】
0005781966.tif 000007
【図７】
0005781966.tif 000008